(57)【要約】【課題】安価な文字表示タイプのＬＣＤでも項目の構造を把握できるようにする。【解決手段】現在ＬＣＤ２８に表示されている属性項目の直下に従属する属性項目のいずれか１つをＬＣＤ２８に表示させるとともに、表示された属性項目が属する階層に対応する色データをＲＯＭ２０から読み出し、この色データで規定される色をバックライト２９から照射させる。ＬＣＤ２８に表示された属性項目の属する階層に対応した色がバックライト２９からＬＣＤ２８に照射されるため、ユーザは現在ＬＣＤ２８に表示された属性項目の属する階層を色から認識できる。【選択図】  図１
2005242144.tif 000002
【特許請求の範囲】
【請求項１】
表示手段と、
前記表示手段に複数色の光を照射する光源と、
階層化された複数の属性項目を記憶する第１記憶手段と、
前記光源の照射する色を規定する色データを各階層に対応させて記憶する第２記憶手段と、
前記階層化された複数の属性項目を最上位の階層から順に選択させることにより所望の属性項目の選択を受け付ける選択手段と、
前記選択された階層に応じた属性項目を前記表示手段に表示させる制御手段と、を備え、
前記制御手段は、前記選択された属性項目の属する階層に対応した色データで規定される色を照射させるよう前記光源を制御する表示装置。
【請求項２】
前記第１記憶手段は各階層の属性項目を分類するグループを記憶し、
前記第２記憶手段は前記色データを前記グループに対応させて記憶し、
前記制御手段は前記選択された属性項目の属する階層及びグループに対応した色を照射させるよう前記光源を制御する請求項１に記載の表示装置。
【請求項３】
前記光源はＬＥＤバックライトである請求項１又は２に記載の表示装置。
【発明の詳細な説明】
【技術分野】
【０００１】
本発明は表示装置に関し、特にプリンタなどの各種電子機器において階層化された項目を表示させる装置に関する。
【背景技術】
【０００２】
近年の電子機器は非常に多機能化されており、それにともないユーザが機器に対して設定する項目も増加している。多数の項目は階層化されることが一般的であるが、階層が複雑な構造をとるとユーザにとって操作しづらくなる。特に、現在どのレベルの階層で操作しているのかが分からなくなると、他の項目へ移動するのに上位の階層まで戻る必要があり、操作が煩雑となる。このような問題を回避するため、特許文献１の表示方法では、メニュー構造を図示し、現在の階層が判別できるようにしている。
【特許文献１】特開２０００−１４７０１８号公報
【発明の開示】
【発明が解決しようとする課題】
【０００３】
ところが、特許文献１の表示方法では、メニュー以外に階層の構造を表示する領域を必要としており、表示装置が大型化し、コストも上昇するという欠点がある。表示をメニューと構造図で切り替えて表示することも可能であるが、この場合ユーザに余分な操作を強いることになり、かえって操作の煩雑さが増してしまう。また、メニュー構造を図示する必要があるため、特許文献１の表示方法は安価な文字表示タイプのＬＣＤに適用できない。このような問題点に鑑み、本発明は安価な文字表示タイプのＬＣＤでも項目の構造を容易に把握できる表示装置を提供することを目的とする。
【課題を解決するための手段】
【０００４】
上述の課題を解決するため、請求項１に係る発明は、表示手段と、前記表示手段に複数色の光を照射する光源と、階層化された複数の属性項目を記憶する第１記憶手段と、前記光源の照射する色を規定する色データを各階層に対応させて記憶する第２記憶手段と、前記階層化された複数の属性項目を最上位の階層から順に選択させることにより所望の属性項目の選択を受け付ける選択手段と、前記選択された階層に応じた属性項目を前記表示手段に表示させる制御手段と、を備え、前記制御手段は、前記選択された属性項目の属する階層に対応した色データで規定される色を照射させるよう前記光源を制御する表示装置である。
【０００５】
この発明によると、選択された属性項目の属する階層に対応した色データで規定される色が表示手段に照射される。ユーザは表示手段に表示された属性項目の属する階層をこの色から認識できる。即ち、従来例のように図などの複雑な画像を表示できるような高価な表示手段でなく、属性項目を文字表示できるような安価な表示手段（例えば文字表示タイプのＬＣＤ）であっても、複数色を発光できる安価な光源（例えばＬＥＤ）だけでユーザに階層を認識させることができる。また、従来例のように階層構造を表示する領域を表示手段に設けなくてもよいため、表示手段が大型化するのを防げる。
【０００６】
請求項２に係る発明は、請求項１に記載の表示装置において、前記第１記憶手段は各階層の属性項目を分類するグループを記憶し、前記第２記憶手段は前記色データを前記グループに対応させて記憶し、前記制御手段は前記選択された属性項目の属する階層及びグループに対応した色を照射させるよう前記光源を制御する。
【０００７】
この発明によると、表示手段に表示された属性項目の階層及びグループによって光源から照射される色が変化するため、ユーザは階層及び属性項目間の従属関係を容易に把握できる。
【０００８】
請求項３に係る発明は、請求項１又は２に記載の表示装置において、前記光源はＬＥＤバックライトである。
【０００９】
この発明によると、本発明の表示装置を安価に構成できる。
【発明の効果】
【００１０】
この発明によると、選択された属性項目の属する階層に対応した色データで規定される色が表示手段に照射される。ユーザは表示手段に表示された属性項目の属する階層をこの色から認識できる。即ち、従来例のように図などの複雑な画像を表示できるような高価な表示手段でなく、属性項目を文字表示できるような安価な表示手段（例えば文字表示タイプのＬＣＤ）であっても、複数色を発光できる安価な光源（例えばＬＥＤ）だけでユーザに階層を認識させることができる。また、従来例のように階層構造を表示する領域を表示手段に設けなくてもよいため、表示手段が大型化するのを防げる。
【発明を実施するための最良の形態】
【００１１】
以下、添付した図面を参照し本発明の好ましい実施の形態を説明する。
【００１２】
＜第１実施形態＞
［概略構成］
図１は、本発明の好ましい実施形態に係るプリンタの構成を示すブロック図である。プリンタは、記録メディア２からデータを読み取るメディアインターフェース（Ｉ／Ｆ）１２と、ＣＰＵ１６と、各種データの一時記憶並びに演算領域等として利用されるＲＡＭ１８と、演算に必要なデータやプログラム並びにフレームなどが記憶されているＲＯＭ２０と、ＬＣＤ２８及びバックライト２９を有しており各種情報を表示させる表示部２２と、表示部２２の表示制御を行う表示コントローラ２６と、表示コントローラ２６の制御に従いＬＣＤ２８を駆動させるＬＣＤドライバ２７と、表示コントローラ２６の制御に従いバックライト２９を駆動させるバックライトドライバ３０と、パソコンその他の外部機器を接続し得る通信インターフェース２５と、ユーザからの各種操作の入力を受け付ける操作部２４と、各回路ブロック間で信号を伝送するためのバス３６とを備えている。バックライト２９としては、例えば発光ダイオード（ＬＥＤ）や光電管を使用することができるが、発色できる点灯装置であれば何でもよい。本実施形態のバックライト２９は、赤（Ｒ）、緑（Ｇ）、青（Ｂ）及び白（無色、Ｗ）の４つのチップを搭載し、Ｒ、Ｇ、Ｂの三原色を混色して任意の色（本実施形態では橙、黄）を発光するＬＥＤバックライトであるとする。
【００１３】
記録メディア２には、利用者がデジタルカメラ等によって撮影した画像のデータが格納されている。記録メディア２は、スマートメディア（Solid-State Floppy Disk Card）、ＰＣカード、コンパクトフラッシュ（登録商標）、磁気ディスク、光ディスク、光磁気ディスク、メモリスティックなど種々の媒体（リムーバブルメディア）を用いることができる。使用される媒体に応じた信号処理手段とメディアインターフェース１２が用意される。複数種類の記録メディア２に対応できるように、複数種類のメディアインターフェース１２を具備する態様も好ましい。
【００１４】
図２に示すように、ＬＣＤ２８、バックライト２９及び操作部２４は、プリンタの前面などユーザが操作・認識しやすい位置に操作パネルとして一体的に配置されている。バックライト２９は、ＬＣＤ２８の背面からＲ・Ｇ・Ｂ・Ｗの光を照射してＬＣＤ２８の表示内容に任意の色を付与できるような位置に配置されている。ＬＣＤ２８は、文字を表示できるタイプのもの、例えば１行１６桁の文字が表示できるＬＣＤであれば足り、文字以外の画像を表示する機能は有していなくてもよい。操作部２４は、メニューボタン２４１、選択ボタン２４２・２４３、決定ボタン２４４を有している。ユーザはＬＣＤ２８に表示される属性項目を操作部２４の選択ボタン２４２・２４３で選択し、選択した属性項目を決定ボタン２４４で決定する。属性項目の詳細な内容は後述する。
【００１５】
再び図１を参照すると、ＣＰＵ１６とプリントコントローラ３１とはバス３６を介して接続され、ＣＰＵ１６とプリントコントローラ３１との間で制御信号や画像データが通信される。ＲＡＭ１８は操作部２４から入力された設定項目を記憶し、ＣＰＵ１６はＲＡＭ１８に記憶された設定項目と画像データに従ってプリント出力用の画像データを生成する。本実施形態では、設定項目とは、プリンタの各種機能（例えば、印画サイズ、印画の背景画像、画像データの取り込み先となる記録メディアの種類）を設定する項目である。
【００１６】
このプリント出力用の画像データは、プリントコントローラ３１に送信され、プリントコントローラ３１によりプリントヘッド３２を駆動するための制御信号に変換される。こうして、プリントヘッド３２が制御され、印画動作が実行されることにより、出力結果としてプリント物を得ることができる。印画方式については、特に限定するものではなく、印画紙自体が熱によって発色するサーモ・オートクローム（ＴＡ）方式、インク滴をノズルによって印画紙に吹きつけるインクジェット方式など、種々の方式が可能である。
【００１７】
ＲＯＭ２０には、プログラムが記憶されており、ＣＰＵ１６は、このプログラムをＲＡＭ１８にロードしてそこに記述された処理ステップを実行する。ＲＡＭ１８は、ＣＰＵ１６がプログラムを実行する際の作業用メモリとして用いられる。
【００１８】
また、ＲＯＭ２０は、階層化された複数の属性項目を記憶している。図３は、ＲＯＭ２０に記憶された階層化された複数の属性項目の一例である。図３によると、属性項目は、最上位の階層である階層レベル０から最下位の階層である階層レベル３までの４つの階層のいずれかに属しており、階層レベル０を除く階層に属する全ての属性項目は上位の階層の属性項目のいずれかに従属している。最下位の階層レベル３に属する属性項目が設定項目に相当する。最上位の階層である階層レベル０には、属性項目「レイアウト」、「画像加工」、「その他の機能」が属している。階層レベル０より１つ下位の階層である階層レベル１に属する各属性項目は、階層レベル０の属性項目のいずれかに従属している。例えば、階層レベル１の属性項目「サイズ」、「分割」及び「特殊」は階層レベル０に属する属性項目「レイアウト」に従属している。あるいは、最下位の階層レベル３に属する設定項目「カード」、「Ｌサイズ」、及び「ハイビジョン」は、階層レベル１の属性項目「サイズ」に従属している。あるいは、最下位の階層レベル３に属する設定項目「最初から」及び「最後から」は階層レベル２に属する属性項目「画像表示順」に従属している。このように、階層レベル０以外の階層レベルに属する属性項目の従属先は１つ以上上位の階層レベルである。
【００１９】
また、ＲＯＭ２０は、各階層に対応させてバックライト２９の発色すべき色を規定する色データを記憶している。図３に示すように、階層レベル０、１、２、３には、それぞれバックライト２９に橙、緑、黄、無色を発色させる色データが対応づけられている。
【００２０】
［表示制御処理］
次に、図４のフローチャートに基づき、ＣＰＵ１６及び表示コントローラ２６による表示部２２の表示制御処理を詳細に説明する。Ｓ１１では、メニューボタン２４１が押下されたか否かを判断する。メニューボタン２４１が押下された場合はＳ１２に移行し、押下されない場合は押下を待機する。Ｓ１２では、階層レベル０に属する属性項目のいずれか１つをＬＣＤ２８に表示させるよう制御する。Ｓ１３では、階層レベル０に対応する色データをＲＯＭ２０から読み出し、この色データで規定される色をバックライト２９から照射させるよう制御する。
【００２１】
Ｓ１４では、決定ボタン２４４が押下されたか否かを判断する。決定ボタン２４４が押下された場合はＳ１７に移行し、押下されない場合はＳ１５に移行する。Ｓ１５では、選択ボタン２４２・２４３が押下されたか否かを判断する。選択ボタン２４２・２４３が押下された場合はＳ１６に移行し、押下されない場合はＳ１４に戻る。Ｓ１６では、選択ボタン２４２・２４３の押下回数に応じ、ＬＣＤ２８に表示させる属性項目を階層レベル０に属する範囲内で切り替えて表示させるよう制御する。
【００２２】
Ｓ１７では、ＬＣＤ２８に現在表示されている属性項目の直下に従属する属性項目（以下、従属項目という）のいずれか１つをＬＣＤ２８に表示させる。Ｓ１８では、表示された従属項目が属する階層に対応する色データをＲＯＭ２０から読み出し、この色データで規定される色をバックライト２９に点灯させる。
【００２３】
Ｓ１９では、決定ボタン２４４が押下されたか否かを判断する。決定ボタン２４４が押下された場合はＳ２２に移行し、押下されない場合はＳ２０に移行する。Ｓ２０では、選択ボタン２４２・２４３が押下されたか否かを判断する。選択ボタン２４２・２４３が押下された場合はＳ２１に移行し、押下されない場合はＳ１９に戻る。Ｓ２１では、選択ボタン２４２・２４３の押下回数に応じ、ＬＣＤ２８に表示させる属性項目を従属項目の範囲内で切り替えて表示させるよう制御する。
【００２４】
Ｓ２２では、ＬＣＤ２８に現在表示されている属性項目がＲＯＭ２０に記憶されている階層の内最下位のもの（ここでは階層レベル３）に属するか否かを判断する。最下位の階層に属している場合はＳ２３に移行する。最下位の階層でない場合はＳ１７に戻り、上記と同様に現在表示されている属性項目の直下に従属する属性項目のいずれか１つをＬＣＤ２８に表示させるとともに、表示された属性項目が属する階層に対応する色データをＲＯＭ２０から読み出し、この色データで規定される色をバックライト２９から照射させる。なお、この処理Ｓ１７〜Ｓ２２が実行されている途中にメニューボタン２４１が押下された場合、現在表示されている従属項目の従属先である属性項目をＬＣＤ２８に表示させ、その表示された属性項目の属する階層に対応する色をバックライト２９から照射させる。Ｓ２３では、現在表示されている設定項目がＲＡＭ１８に記憶される。なお、設定項目は、上記のように属性項目を選択ボタン２４２・２４３で選択させて決定ボタン２４４の押下で指定させるものの他、数値を指定させるような構成とすることも可能であり、数値を指定させる場合、操作部２４に含まれる図示しないテンキーの操作により数値入力を受け付け、入力後に決定ボタンされると入力数値が設定項目として記憶される。
【００２５】
なお、以上の処理ステップＳ１１〜２３をＣＰＵ１６及び表示コントローラ２６に実行させるためのプログラムはＲＯＭ２０に記憶されている。
【００２６】
以上のように、ＬＣＤ２８に表示された属性項目の属する階層に対応した色がバックライト２９からＬＣＤ２８に照射されるため、ユーザは現在ＬＣＤ２８に表示された属性項目の属する階層を色から認識できる。即ち、属性項目の階層が深くてもバックライト２９の色で現在どの階層であるかを容易に認識でき、ユーザが現在の階層が分からなくなって上位の階層まで戻るといった無駄な操作をさせないようにすることが可能である。また、従来例のように階層構造を表示する領域をＬＣＤ２８に設けなくてもよく、図などの複雑な画像を表示できるような高価な表示装置を使わなくてもよいため、属性項目を文字表示できるような安価なＬＣＤ２８で足り、表示部分が大型化するのも防げる。なお、プリンタの使用説明書は、各階層に属する属性項目の説明記載をバックライト２９の発光する色と同じ色で塗り分ければ読みやすくなる。
【００２７】
＜第２実施形態＞
第１実施形態では、ＲＯＭ２０には、階層化された複数の属性項目を記憶していたが、同一の属性項目の直下に従属する従属項目同士をグループとして分類した上、各グループに色データを対応させて記憶させてもよい。例えば、図５に示すように、「レイアウト」の従属項目である「サイズ」、「分割」、「特殊」をグループＧ２などと分類する。階層レベル０に属する属性項目は従属項目ではないが、便宜上グループＧ１に分類する。このように分類したグループＧ１〜Ｇ７の各々に色データを対応させて記憶させる。例えば、グループＧ１、Ｇ２にはそれぞれ青・緑色を発色させる色データが対応づけられている。
【００２８】
ＣＰＵ１６及び表示コントローラ２６による表示制御処理は以下の点で第１実施形態と異なる。即ち、決定ボタン２４４が押下されると（Ｓ１６で“Ｙ”）、現在表示されている属性項目の従属項目のいずれか１つをＬＣＤ２８に表示させる（Ｓ１７）とともに、従属項目の分類されたグループに対応する色データをＲＯＭ２０から読み出し、この色データで規定される色をバックライト２９に点灯させる（Ｓ１８）。その他の処理ステップは第１実施形態と同様である。
【００２９】
以上のような制御によると、ＬＣＤ２８に表示された属性項目の階層及びグループによってバックライト２９から照射される色が変化するため、ユーザは階層及び属性項目間の従属関係を容易に把握できる。
【００３０】
＜その他の実施形態＞
ＬＣＤ２８に任意の色の光を照射する方法は上記のように背面から照射するバックライト型に限らず、ＬＣＤ２８の前面から光を照射し、ＬＣＤ２８の背面で反射させる方法（反射型）であってもよい。また、本発明は、上記のようなプリンタの設定項目だけでなく、デジタルカメラその他の電子機器において階層化された各種メニューの項目を表示させる制御に適用可能である。
【図面の簡単な説明】
【００３１】
【図１】本発明の好ましい実施形態に係るプリンタのブロック構成図
【図２】表示パネルの外観図
【図３】階層化された複数の属性項目を示す図
【図４】表示制御処理の流れを示すフローチャート
【図５】階層化及びグループ化された複数の属性項目を示す図
【符号の説明】
【００３２】
１６：ＣＰＵ、２０：ＲＯＭ、２２：表示部、２６：表示コントローラ、２８：ＬＣＤ、２９：バックライト
【図１】
2005242144.tif 000003
【図２】
2005242144.tif 000004
【図３】
2005242144.tif 000005
【図４】
2005242144.tif 000006
【図５】
2005242144.tif 000007